(57)【要約】【課題】長手方向に複数のレンズアレイを配設した構成において、良好な露光を実現可能とする技術を提供する。【解決手段】第１の方向の一方側の端に第１のレンズを有する第１のレンズアレイと、第１の方向の一方側と逆の他方側の端に第２のレンズを有し、第１のレンズアレイの第１の方向の一方側に配設された第２のレンズアレイと、第１のレンズアレイを支持する第１の支持部材と、第２のレンズアレイを支持する第２の支持部材と、を備え、第１のレンズアレイの第１の方向の一方側の第１の端辺と第１の支持部材との距離と、第２のレンズアレイの第１の方向の他方側の第２の端辺と第２の支持部材との距離とが等しい。【選択図】図７
2011068090.tif 000002
【特許請求の範囲】
【請求項１】
第１の方向の一方側の端に第１のレンズを有する第１のレンズアレイと、
前記第１の方向の前記一方側と逆の他方側の端に第２のレンズを有し、前記第１のレンズアレイの前記第１の方向の前記一方側に配設された第２のレンズアレイと、
前記第１のレンズアレイを支持する第１の支持部材と、
前記第２のレンズアレイを支持する第２の支持部材と、
を備え、
前記第１のレンズアレイは、第１のガラス基板と前記第１のガラス基板に配設された第１の樹脂層とを有し、前記第１の樹脂層に前記第１のレンズが形成され、
前記第２のレンズアレイは、第２のガラス基板と前記第２のガラス基板に配設された第２の樹脂層とを有し、前記第２の樹脂層に前記第２のレンズが形成され、
前記第１のレンズアレイの前記第１の方向の前記一方側の第１の端辺と前記第１の支持部材との距離と、前記第２のレンズアレイの前記第１の方向の前記他方側の第２の端辺と前記第２の支持部材との距離とが等しいことを特徴とする露光ヘッド。
【請求項２】
前記第１のレンズアレイの前記第１の端辺は前記第１の方向に斜めな第２の方向に平行であり、前記第２のレンズアレイの前記第２の端辺は前記第２の方向に平行である請求項１に記載の露光ヘッド。
【請求項３】
前記第１の支持部材と前記第２の支持部材とは前記第１の方向に配設されている請求項１または２に記載の露光ヘッド。
【請求項４】
前記第１のレンズに入射する光を発光する第１の発光素子と、前記第２のレンズに入射する光を発光する第２の発光素子とが配設された発光素子基板を備え、
前記第１の支持部材および前記第２の支持部材は前記発光素子基板に配設される請求項１ないし３のいずれか一項に記載の露光ヘッド。
【請求項５】
前記第１の樹脂層は光硬化性樹脂であり、前記第２の樹脂層は光硬化性樹脂である請求項１ないし４のいずれか一項に記載の露光ヘッド。
【請求項６】
第１の方向の一方側の端に第１のレンズを有する第１のレンズアレイ、前記第１の方向の前記一方側と逆の他方側の端に第２のレンズを有して前記第１のレンズアレイの前記第１の方向の前記一方側に配設された第２のレンズアレイ、前記第１のレンズアレイを支持する第１の支持部材、および前記第２のレンズアレイを支持する第２の支持部材を有する露光ヘッドと、
前記第１のレンズを透過した光および前記第２のレンズを透過した光が照射される像担持体と、
を備え、
前記第１のレンズアレイは、第１のガラス基板と前記第１のガラス基板に配設された第１の樹脂層とを有し、前記第１の樹脂層に前記第１のレンズが形成され、
前記第２のレンズアレイは、第２のガラス基板と前記第２のガラス基板に配設された第２の樹脂層とを有し、前記第２の樹脂層に前記第２のレンズが形成され、
前記第１のレンズアレイの前記第１の方向の前記一方側の第１の端辺と前記第１の支持部材との距離と、前記第２のレンズアレイの前記第１の方向の前記他方側の第２の端辺と前記第２の支持部材との距離とが等しいことを特徴とする画像形成装置。
【発明の詳細な説明】
【技術分野】
【０００１】
この発明は、レンズアレイを用いた露光ヘッドおよび画像形成装置に関する。
【背景技術】
【０００２】
特許文献１では、複数のレンズを長手方向に千鳥状に配列したレンズアレイを用いて、露光ヘッドを構成することが提案されている。つまり、この露光ヘッドでは、複数のレンズそれぞれに対向して発光素子が配置されており、発光素子が射出した光がレンズを透過した後にスポットとして被露光面に照射される。こうして、各レンズが形成したスポットにより被露光面が露光される。
【０００３】
ちなみに、このような露光ヘッドは、用途に応じた範囲を露光可能であることが求められる。そのため、レンズアレイは用途に応じた長さを備えている必要があった。例えば、画像形成装置内で感光体に潜像を形成するために露光ヘッドを用いる場合には、潜像の幅に応じた範囲を露光するために、レンズアレイはこの潜像の幅に応じた長さを備える必要があった。こうした要求がある一方で、長尺なレンズアレイを一体的な構成で実現することは難しい。そこで、特許文献１では、複数のレンズアレイを長手方向に並べて、１枚の長尺レンズアレイを構成することが提案されている。
【０００４】
つまり、特許文献１では、長手方向に互いに異なる位置に複数のレンズを配置したレンズアレイがさらに長手方向に複数並んで、長尺レンズアレイが構成されている。こうして長尺レンズアレイにおいて各レンズが長手方向に異なる位置に配置されて、各レンズが長手方向に異なる領域にスポットを形成することができる。
【先行技術文献】
【特許文献】
【０００５】
【特許文献１】特開２００９−０３７１９９号公報
【特許文献２】特開２００５−２７６８４９号公報
【発明の概要】
【発明が解決しようとする課題】
【０００６】
ところで、上述の長尺レンズアレイでは、長手方向に並ぶ２枚のレンズアレイの境界を挟んで、互いに異なるレンズアレイに配設された２個のレンズが、それぞれの長手方向への位置を隣り合わせて配置される。そして、長手方向への位置が隣り合うこれらのレンズが、長手方向に隣接する領域にスポットを形成する。つまり、上記長尺レンズアレイを用いた構成では、異なるレンズアレイに配設された２枚のレンズが、長手方向に隣接する領域にスポットを形成する。しかしながら、次に説明する原因により、これら２枚のレンズの位置が光軸方向に相対的にずれてしまい、その結果、これらのレンズが隣接して形成するスポットの間で、大きさあるいは光量等に大きな差が生じてしまう場合があった。
【０００７】
つまり、例えば特許文献２に記載の技術を応用して、上述したレンズアレイをガラス基板と樹脂層とから構成することができる。具体的には、このレンズアレイでは、樹脂製のレンズが複数形成された樹脂層が、ガラス基板に積層して形成されている。しかしながら、ガラスと樹脂とは互いに異なる線膨張係数を有しているため、周囲環境の温度変化によっては、ガラス基板と樹脂層との間に応力が発生する。そして、この応力によってレンズアレイが反ってしまうと、各レンズアレイの端に配置されたレンズの位置が光軸方向に変位してしまう。この際、異なるレンズアレイに配設された２枚のレンズの変位量が同程度であって、レンズ間の相対位置のずれが小さければ、これらのレンズが隣接して形成するスポットにそれほど大きな差は生じない。しかしながら、これらレンズ間の相対位置のずれが大きいと、これらのレンズが隣接して形成するスポットに大きな差が生じて、その結果、良好な露光が困難となる場合があった。
【０００８】
この発明は上記課題に鑑みてなされたものであり、長手方向に複数のレンズアレイを配設した構成において、良好な露光を実現可能とする技術の提供を目的とする。
【課題を解決するための手段】
【０００９】
この発明にかかる露光ヘッドは、上記目的を達成するために、第１の方向の一方側の端に第１のレンズを有する第１のレンズアレイと、第１の方向の一方側と逆の他方側の端に第２のレンズを有し、第１のレンズアレイの第１の方向の一方側に配設された第２のレンズアレイと、第１のレンズアレイを支持する第１の支持部材と、第２のレンズアレイを支持する第２の支持部材と、を備え、第１のレンズアレイは、第１のガラス基板と当該第１のガラス基板に配設された第１の樹脂層とを有し、第１の樹脂層に第１のレンズが形成され、第２のレンズアレイは、第２のガラス基板と当該第２のガラス基板に配設された第２の樹脂層とを有し、第２の樹脂層に第２のレンズが形成され、第１のレンズアレイの第１の方向の一方側の第１の端辺と第１の支持部材との距離と、第２のレンズアレイの第１の方向の他方側の第２の端辺と第２の支持部材との距離とが等しいことを特徴としている。
【００１０】
また、この発明にかかる画像形成装置は、上記目的を達成するために、第１の方向の一方側の端に第１のレンズを有する第１のレンズアレイ、第１の方向の一方側と逆の他方側の端に第２のレンズを有して第１のレンズアレイの第１の方向の一方側に配設された第２のレンズアレイ、第１のレンズアレイを支持する第１の支持部材、および第２のレンズアレイを支持する第２の支持部材を有する露光ヘッドと、第１のレンズを透過した光および第２のレンズを透過した光が照射される像担持体と、を備え、第１のレンズアレイは、第１のガラス基板と第１のガラス基板に配設された第１の樹脂層とを有し、第１の樹脂層に第１のレンズが形成され、第２のレンズアレイは、第２のガラス基板と第２のガラス基板に配設された第２の樹脂層とを有し、第２の樹脂層に第２のレンズが形成され、第１のレンズアレイの第１の方向の一方側の第１の端辺と第１の支持部材との距離と、第２のレンズアレイの第１の方向の他方側の第２の端辺と第２の支持部材との距離とが等しいことを特徴としている。
【００１１】
このように構成された発明（露光ヘッド、画像形成装置）は、第１の支持部材で第１のレンズアレイを支持するとともに、第２の支持部材で第２のレンズアレイを支持する。そして、このように支持部材でレンズアレイを支持する構成では、レンズアレイの端のレンズがレンズアレイの反りに伴なって変位する量は、レンズアレイの端辺から支持部材までの距離に依存すると考えられる。そこで、本発明は、第１のレンズアレイの第１の方向の一方側の第１の端辺と第１の支持部材との距離と、第２のレンズアレイの第１の方向の他方側の第２の端辺と第２の支持部材との距離とを等しくしている。よって、周囲温度の変動によって第１のレンズアレイおよび第２のレンズアレイが反ったとしても、各レンズアレイの端にある第１のレンズおよび第２のレンズの変位量は概ね等しく、結果的に第１のレンズと第２のレンズの間での相対位置のずれは小さく抑えられる。こうして、本発明では、良好な露光の実現が図られている。
【００１２】
なお、この発明は、第１のレンズアレイの第１の端辺は第１の方向に斜めな第２の方向に平行であり、第２のレンズアレイの第２の端辺は第２の方向に平行である構成、すなわちレンズアレイの端辺が第１の方向に斜めである構成に対しても適用可能である。この際、レンズアレイの端辺あるいは当該端辺に重なる仮想直線から支持部材までの当該端辺に直交する方向への距離を、レンズアレイの端辺と支持部材との距離として扱えば良い。
【００１３】
また、第１の支持部材と第２の支持部材とは第１の方向に配設されても良い。このような構成は、各レンズアレイの端にある第１のレンズおよび第２のレンズの変位量を概ね等しくするのに有利である。
【００１４】
また、第１のレンズに入射する光を発光する第１の発光素子と、第２のレンズに入射する光を発光する第２の発光素子とが配設された発光素子基板を備え、第１の支持部材および第２の支持部材は発光素子基板に配設される構成に対しては、本発明を適用することが好適となる。つまり、発光素子は発光に伴なって発熱する性質を有するため、この発光素子が配設された発光素子基板に第１の支持部材および第２の支持部材を配設すると、発光素子基板から第１の支持部材および第２の支持部材を介して、第１のレンズアレイおよび第２のレンズアレイに熱が伝導してしまうおそれがある。その結果、上述のようなレンズアレイの反りに起因した露光不良が発生する場合が考えられる。そこで、本発明を適用することにより、レンズアレイの反りに起因した露光不良の発生を抑え、良好な露光を実現可能とすることが好適となる。
【００１５】
また、第１の樹脂層は光硬化性樹脂であり、第２の樹脂層は光硬化性樹脂であっても良い。つまり、光硬化性樹脂は、光を照射することで速やかに硬化するため、レンズを有する樹脂層を簡便に作製することを可能とし、露光ヘッドを簡便に生産するのに有利となる。
【図面の簡単な説明】
【００１６】
【図１】本発明を適用可能な画像形成装置の一例を示す図。
【図２】図１の画像形成装置が備える電気的構成を示すブロック図。
【図３】ラインヘッドの概略を示す部分斜視図。
【図４】厚さ方向ＴＫＤからヘッド基板を平面視した部分平面図。
【図５】ラインヘッドのＡ−Ａ線における部分断面図。
【図６】長尺レンズアレイの構成を模式的に示すＡ−Ａ線断面図。
【図７】長尺レンズアレイの構成を模式的に示す部分平面図。
【図８】長尺レンズアレイの構成を模式的に示す部分平面図。
【図９】感光体ドラム表面に形成されるスポットを模式的に示す平面図。
【図１０】実施形態で奏される作用を模式的に示した側面図。
【発明を実施するための形態】
【００１７】
図１は本発明を適用可能な画像形成装置の一例を示す図である。また、図２は図１の画像形成装置が備える電気的構成を示すブロック図である。この装置は、ブラック（Ｋ）、シアン（Ｃ）、マゼンダ（Ｍ）、イエロー（Ｙ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。なお図１は、カラーモード実行時に対応する図である。この画像形成装置では、ホストコンピューターなどの外部装置から画像形成指令がＣＰＵやメモリーなどを有するメインコントローラーＭＣに与えられると、このメインコントローラーＭＣはエンジンコントローラーＥＣに制御信号などを与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、このヘッドコントローラーＨＣは、メインコントローラーＭＣからのビデオデータＶＤとエンジンコントローラーＥＣからの垂直同期信号Ｖsyncおよびパラメータ値とに基づき各色のラインヘッド２９を制御する。これによって、エンジン部ＥＮＧが所定の画像形成動作を実行し、複写紙、転写紙、用紙およびＯＨＰ用透明シートなどのシートに画像形成指令に対応する画像を形成する。
【００１８】
画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット７、転写ベルトユニット８および給紙ユニット１１もハウジング本体３内に配設されている。また、図１においてハウジング本体３内右側には、２次転写ユニット１２、定着ユニット１３、シート案内部材１５が配設されている。なお、給紙ユニット１１は、装置本体１に対して着脱自在に構成されている。そして、該給紙ユニット１１および転写ベルトユニット８については、それぞれ取り外して修理または交換を行うことが可能な構成になっている。
【００１９】
画像形成ユニット７は、複数の異なる色の画像を形成する４個の画像形成ステーションＹ（イエロー用）、Ｍ（マゼンダ用）、Ｃ（シアン用）、Ｋ（ブラック用）を備えている。また、各画像形成ステーションＹ，Ｍ，Ｃ，Ｋは、主走査方向ＭＤに所定長さの表面を有する円筒形の感光体ドラム２１を設けている。そして、各画像形成ステーションＹ，Ｍ，Ｃ，Ｋそれぞれは、対応する色のトナー像を、感光体ドラム２１の表面に形成する。感光体ドラム２１は、軸方向が主走査方向ＭＤに平行もしくは略平行となるように配置されている。また、各感光体ドラム２１はそれぞれ専用の駆動モーターに接続され図中矢印Ｄ21の方向に所定速度で回転駆動される。これにより感光体ドラム２１の表面が、主走査方向ＭＤに直交もしくは略直交する副走査方向ＳＤに搬送されることとなる。また、感光体ドラム２１の周囲には、回転方向に沿って帯電部２３、ラインヘッド２９、現像部２５および感光体クリーナー２７が配設されている。そして、これらの機能部によって帯電動作、潜像形成動作及びトナー現像動作が実行される。したがって、カラーモード実行時は、全ての画像形成ステーションＹ，Ｍ，Ｃ，Ｋで形成されたトナー像を転写ベルトユニット８が有する転写ベルト８１に重ね合わせてカラー画像を形成するとともに、モノクロモード実行時は、画像形成ステーションＫで形成されたトナー像のみを用いてモノクロ画像を形成する。なお、図１において、画像形成ユニット７の各画像形成ステーションは構成が互いに同一のため、図示の便宜上一部の画像形成ステーションのみに符号をつけて、他の画像形成ステーションについては符号を省略する。
【００２０】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って感光体ドラム２１に対して従動方向に周速で従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００２１】
ラインヘッド２９は感光体ドラム２１に対して離間して配置されており、ラインヘッド２９の長手方向は主走査方向ＭＤに平行もしくは略平行であるとともに、ラインヘッド２９の幅方向は副走査方向ＳＤに平行もしくは略平行である。このラインヘッド２９は複数の発光素子を備えており、各発光素子はヘッドコントローラーＨＣからのビデオデータＶＤに応じて発光する。そして、帯電した感光体ドラム２１表面に発光素子からの光が照射されることで、感光体ドラム２１表面に静電潜像が形成される。
【００２２】
現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してラインヘッド２９により形成された静電潜像が顕在化される。
【００２３】
このように上記現像位置において顕在化されたトナー像は、感光体ドラム２１の回転方向Ｄ21に搬送された後、転写ベルト８１と各感光体ドラム２１が当接する１次転写位置ＴＲ1において転写ベルト８１に１次転写される。
【００２４】
また、この実施形態では、感光体ドラム２１の回転方向Ｄ21の１次転写位置ＴＲ1の下流側で且つ帯電部２３の上流側に、感光体ドラム２１の表面に当接して感光体クリーナー２７が設けられている。この感光体クリーナー２７は、感光体ドラムの表面に当接することで１次転写後に感光体ドラム２１の表面に残留するトナーをクリーニング除去する。
【００２５】
転写ベルトユニット８は、駆動ローラー８２と、図１において駆動ローラー８２の左側に配設される従動ローラー８３（ブレード対向ローラー）と、これらのローラーに張架され図示矢印Ｄ81の方向（搬送方向）へ循環駆動される転写ベルト８１とを備えている。また、転写ベルトユニット８は、転写ベルト８１の内側に、感光体カートリッジ装着時において各画像形成ステーションＹ，Ｍ，Ｃ，Ｋが有する感光体ドラム２１各々に対して一対一で対向配置される、４個の１次転写ローラー８５Ｙ，８５Ｍ，８５Ｃ，８５Ｋを備えている。これらの１次転写ローラー８５は、それぞれ１次転写バイアス発生部（図示省略）と電気的に接続される。そして、カラーモード実行時は、図１に示すように全ての１次転写ローラー８５Ｙ，８５Ｍ，８５Ｃ，８５Ｋを画像形成ステーションＹ，Ｍ，Ｃ，Ｋ側に位置決めすることで、転写ベルト８１を画像形成ステーションＹ，Ｍ，Ｃ，Ｋそれぞれが有する感光体ドラム２１に押し遣り当接させて、各感光体ドラム２１と転写ベルト８１との間に１次転写位置ＴＲ1を形成する。そして、適当なタイミングで上記１次転写バイアス発生部から１次転写ローラー８５に１次転写バイアスを印加することで、各感光体ドラム２１の表面上に形成されたトナー像を、それぞれに対応する１次転写位置ＴＲ1において転写ベルト８１表面に転写してカラー画像を形成する。
【００２６】
一方、モノクロモード実行時は、４個の１次転写ローラー８５のうち、カラー１次転写ローラー８５Ｙ，８５Ｍ，８５Ｃをそれぞれが対向する画像形成ステーションＹ，Ｍ，Ｃから離間させるとともにモノクロ１次転写ローラー８５Ｋのみを画像形成ステーションＫに当接させることで、モノクロ画像形成ステーションＫのみを転写ベルト８１に当接させる。その結果、モノクロ１次転写ローラー８５Ｋと画像形成ステーションＫとの間にのみ１次転写位置ＴＲ1が形成される。そして、適当なタイミングで前記１次転写バイアス発生部からモノクロ１次転写ローラー８５Ｋに１次転写バイアスを印加することで、各感光体ドラム２１の表面上に形成されたトナー像を、１次転写位置ＴＲ1において転写ベルト８１表面に転写してモノクロ画像を形成する。
【００２７】
さらに、転写ベルトユニット８は、モノクロ１次転写ローラー８５Ｋの下流側で且つ駆動ローラー８２の上流側に配設された下流ガイドローラー８６を備える。また、この下流ガイドローラー８６は、モノクロ１次転写ローラー８５Ｋが画像形成ステーションＫの感光体ドラム２１に当接して形成する１次転写位置ＴＲ1での１次転写ローラー８５Ｋと感光体ドラム２１との共通内接線上において、転写ベルト８１に当接するように構成されている。
【００２８】
駆動ローラー８２は、転写ベルト８１を図示矢印Ｄ81の方向に循環駆動するとともに、２次転写ローラー１２１のバックアップローラーを兼ねている。駆動ローラー８２の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラー１２１を介して供給される２次転写バイアスの導電経路としている。このように駆動ローラー８２に高摩擦かつ衝撃吸収性を有するゴム層を設けることにより、駆動ローラー８２と２次転写ローラー１２１との当接部分（２次転写位置ＴＲ２）へのシートが進入する際の衝撃が転写ベルト８１に伝達しにくく、画質の劣化を防止することができる。
【００２９】
給紙ユニット１１は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０において給紙タイミングが調整された後、シート案内部材１５に沿って２次転写位置ＴＲ２に給紙される。
【００３０】
２次転写ローラー１２１は、転写ベルト８１に対して離当接自在に設けられ、２次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が２次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００３１】
また、この装置では、ブレード対向ローラー８３に対向してクリーナー部７１が配設されている。クリーナー部７１は、クリーナーブレード７１１と廃トナーボックス７１３とを有する。クリーナーブレード７１１は、その先端部を転写ベルト８１を介してブレード対向ローラー８３に当接することで、２次転写後に転写ベルトに残留するトナーや紙粉等の異物を除去する。そして、このように除去された異物は、廃トナーボックス７１３に回収される。
【００３２】
図３は、ラインヘッドの概略を示す部分斜視図である。同図では、ラインヘッド２９の厚さ方向ＴＫＤの構成を理解しやすくするために、ラインヘッド２９の長手方向ＬＧＤの端部（図３の左下端部）が断面で示されている。ここで、厚さ方向ＴＫＤは、長手方向ＬＧＤおよび幅方向ＬＴＤに垂直もしくは略垂直な方向であり、後述する発光素子Ｅが光を射出する側（つまり、ラインヘッド２９から感光体ドラム２１に向う側）を向いた方向とする。また、以後の実施形態の説明において、厚さ方向ＴＫＤの下流側（図３の上側）を「（厚さ方向ＴＫＤの）一方側」と称し、厚さ方向ＴＫＤの上流側（図３の下側）を「（厚さ方向ＴＫＤの）他方側」と称する。また、基板あるいは平板の一方側の面を表面と称し、基板あるいは平板の他方側の面を裏面と称することとする。
【００３３】
なお、この厚さ方向ＴＫＤは、後述するレンズアレイＬＡ1のレンズＬＳ1とレンズアレイＬＡ2のレンズＬＳ2とが構成する結像光学系の光軸ＯＡ（図５）に平行である。ここで、光軸は次のように定義される。結像光学系は多くの場合、主走査方向ＭＤに垂直な対称面に関して面対称（鏡映対称）であり、かつ、副走査方向ＳＤに垂直な対称面に関して面対称（鏡映対称）である。このように、結像光学系は、主走査方向に垂直な第１対称面、および当該主走査方向ＭＤと直交する副走査方向ＳＤに垂直な第２対称面を有し、第１対称面と第２対称面の交線が定まる。結像光学系が回転対称である場合には、前述の第１対称面と第２対称面の交線は光軸と一致する。結像光学系が回転対称でない場合、厳密には結像光学系の光軸が定義されない場合があるが、そのような場合には、前述の交線を光軸として取り扱えばよい。
【００３４】
ラインヘッド２９は、ヘッド基板２９３、遮光部材２９７、レンズアレイＬＡ1およびレンズアレイＬＡ2をこの順番で厚さ方向ＴＫＤに配置した概略構成を備えている。ヘッド基板２９３の裏面には、複数の発光素子Ｅが所定個数毎に発光素子グループＥＧとしてグループ化されて二次元的かつ離散的に配置されている。また、ヘッド基板２９３の裏面には、これら複数の発光素子Ｅを封止するための封止部材２９４が取り付けられており、さらに、この封止部材２９４の裏面にはラインヘッド２９を構成する上記各部材を支持するための剛性部材２９９が取り付けられている。
【００３５】
ヘッド基板２９３とレンズアレイＬＡ1との間にはスペーサーＳＰ1が設けられており、このスペーサーＳＰ1がヘッド基板２９３とレンズアレイＬＡ1との間隔を規定する。なお、ヘッド基板２９３とレンズアレイＬＡ1との間には遮光部材２９７が配置されており、スペーサーＳＰ1は、遮光部材２９７に対して厚さ方向ＴＫＤ一方側で若干の間隔を空けてレンズアレイＬＡ1を支持する。また、レンズアレイＬＡ1とレンズアレイＬＡ2との間にはスペーサーＳＰ2が設けられており、このスペーサーＳＰ2がレンズアレイＬＡ1とレンズアレイＬＡ2との間隔を規定しながらレンズアレイＬＡ2を支持する。
【００３６】
こうしてラインヘッド２９では、ヘッド基板２９３、遮光部材２９７およびレンズアレイＬＡ1、ＬＡ2がこの順番で並んでいる。そして、ヘッド基板２９３の発光素子Ｅからの光が、遮光部材２９７の導光孔２９７１を通過して、レンズアレイＬＡ1、ＬＡ2のレンズＬＳ1、ＬＳ2により結像される。次に、各部材の詳細な構成について、図３、図４および図５を用いつつ説明する。
【００３７】
図４は、厚さ方向ＴＫＤからヘッド基板２９３を平面視した部分平面図であり、厚さ方向ＴＫＤの一方側（図３の上側）からヘッド基板２９３の裏面２９３−tを透視した場合に相当する。図５は、ラインヘッドのＡ−Ａ線における部分断面図であり、該断面を長手方向ＬＧＤ（主走査方向ＭＤ）から見た場合に相当する。このＡ−Ａ線断面は、長手方向ＬＧＤに距離Ｄgを空けるとともに幅方向ＬＴＤに距離Ｄtを空けて、一列に並ぶ３個の発光素子グループＥＧ（あるいは、３枚のレンズＬＳ1等）の各幾何重心（あるいは、各レンズ中心）を通る。また、図４、図５に示す方向Ｄlscは、Ａ−Ａ線に平行な方向である。さらに、図４では、ヘッド基板２９３に形成された発光素子グループＥＧ、レンズアレイＬＡ1に形成されたレンズＬＳ1およびレンズアレイＬＡ2に形成されたレンズＬＳ2の位置関係を示すために、レンズＬＳ1およびレンズＬＳ2がそれぞれ一点鎖線で併記されている。ちなみに、レンズＬＳ1およびレンズＬＳ2についての図中記載は、これらの位置関係を示すためのものであり、レンズＬＳ1およびレンズＬＳ2がヘッド基板裏面２９３−t（図５）に形成されていることを示すものではない。また、図５において、光透過性（つまり透明）である部材には、点の集合からなるハッチングが施されている。
【００３８】
ヘッド基板２９３は光を透過するガラス基板（光透過性基板）で構成されており、ヘッド基板裏面２９３−tでは、ボトムエミッション型の有機ＥＬ（Electro-Luminescence）素子である発光素子Ｅが複数形成されて、封止部材２９４により封止されている（図３、図５）。これら複数の発光素子Ｅは、互いに同一の発光スペクトルを有しており、光ビームを感光体ドラム２１表面へ向けて射出する。また、図４に示すように、ヘッド基板裏面２９３−tに形成された複数の発光素子Ｅの配置態様は、グループ構造を有している。つまり、１５個の発光素子Ｅが長手方向ＬＧＤに２行千鳥で配置されて１個の発光素子グループＥＧが構成されており、さらに複数の発光素子グループＥＧが長手方向ＬＧＤに３行千鳥で離散的に配置されている。
【００３９】
より詳しくは、この配置態様は次のように説明することができる。つまり、各発光素子グループＥＧ内では、１５個の発光素子Ｅが長手方向ＬＧＤの互いに異なる位置に配置されており、しかも長手方向ＬＧＤにおける位置が隣り合う２つの発光素子Ｅ、Ｅの長手方向ＬＧＤへの距離は素子間距離Ｐelとなっている（言い換えれば、各発光素子グループＥＧ内では、１５個の発光素子ＥがピッチＰelで長手方向ＬＧＤに配置されている）。そして、素子間距離Ｐelよりも長いグループ間距離Ｐegを空けて複数の発光素子グループＥＧが長手方向ＬＧＤに沿って離散的に並んで、１行の発光素子グループ行ＧＲa等が構成されている。さらに、３行の発光素子グループ行ＧＲa、ＧＲb、ＧＲcが距離Ｄtだけ空けて幅方向ＬＴＤの異なる位置に離散的に配置されており、しかも、発光素子グループ行ＧＲa、ＧＲb、ＧＲcのそれぞれは、長手方向ＬＧＤに距離Ｄgだけ相互にシフトされている。こうして、３個の発光素子グループＥＧが、長手方向ＬＧＤに距離Ｄgを空けるとともに幅方向ＬＴＤに距離Ｄtを空けて、方向Ｄlscに一列に並ぶ。
【００４０】
ここで、素子間距離Ｐelは、対象となる２個の発光素子Ｅの幾何重心間の長手方向ＬＧＤにおける距離として求めることができる。また、グループ間距離Ｐegは、対象となる２個の発光素子グループＥＧのうち、長手方向ＬＧＤの一方側の発光素子グループＥＧの他方側端部にある発光素子Ｅの幾何重心と、長手方向ＬＧＤの他方側の発光素子グループＥＧの一方側端部にある発光素子Ｅの幾何重心との長手方向ＬＧＤにおける距離として求めることができる。また、距離Ｄgは、長手方向ＬＧＤにおける位置が隣り合う２個の発光素子グループＥＧそれぞれの幾何重心間の長手方向ＬＧＤにおける距離として求めることができる。また、距離Ｄtは、幅方向ＬＴＤにおける位置が隣り合う２個の発光素子グループＥＧそれぞれの幾何重心間の幅方向ＬＴＤにおける距離として求めることができる。
【００４１】
このようにヘッド基板２９３の裏面２９３−tには、複数の発光素子グループＥＧが二次元的かつ離散的に配置されている。一方、ヘッド基板２９３の表面２９３−hには、遮光部材２９７が配置されている。遮光部材２９７には厚さ方向ＴＫＤに貫通する導光孔２９７１が複数形成されている。各導光孔２９７１は厚さ方向ＴＫＤからの平面視において円形状を有しており、その内壁には黒色メッキが施されている。この導光孔２９７１は、発光素子グループＥＧ毎に１個ずつ形成されており、すなわち、１個の発光素子グループＥＧに対して１個の導光孔２９７１が開口している。こうして、遮光部材２９７は、導光孔２９７１を発光素子グループＥＧに開口させた状態でヘッド基板表面２９３−hに当接して固定されている。
【００４２】
このような遮光部材２９７を設ける目的は、いわゆる迷光がレンズＬＳ1、ＬＳ2に入射するのを抑制するためである。つまり、各発光素子グループＥＧには、レンズＬＳ1、ＬＳ2の対からなる結像光学系がそれぞれ専用に設けられている。このような構成では、光ビームは、それ自身の射出源である発光素子グループＥＧに設けられた結像光学系ＬＳ1、ＬＳ2にのみ入射して結像されることが望ましい。しかしながら、光ビームの一部には、その射出源である発光素子グループＥＧに設けられた結像光学系ＬＳ1、ＬＳ2に向わずに迷光となってしまうものもある。そして、このような迷光が、それ自身の射出源でない発光素子グループＥＧに設けられた結像光学系ＬＳ1、ＬＳ2に入射してしまうと、いわゆるゴーストが発生してしまうおそれがある。これに対して、この実施形態では、発光素子グループＥＧと結像光学系ＬＳ1、ＬＳ2との間に遮光部材２９７が設けられている。この遮光部材２９７には、内壁に黒色メッキが施された導光孔２９７１が発光素子グループＥＧに開口して設けられているため、迷光の多くは導光孔２９７１の内壁で吸収されることとなる。その結果、先ほどのゴーストを抑制して、良好な露光動作の実現が図られる。
【００４３】
そして、上述のとおり、これらヘッド基板２９３および遮光部材２９７の厚さ方向ＴＫＤの一方側には、レンズアレイＬＡ1、ＬＡ2が設けられている。このレンズアレイＬＡ1（ＬＡ2）では、発光素子グループＥＧの二次元配置に対応して、レンズＬＳ1（ＬＳ2）が二次元的に配置されている。つまり、長手方向ＬＧＤに斜めな方向Ｄlsc（レンズ列方向Ｄlsc）に３個のレンズＬＳ1（ＬＳ2）が一列に並んでレンズ列ＬＳＣを構成し、さらに、このレンズ列ＬＳＣが長手方向ＬＧＤに複数並んでいる。こうして、レンズアレイＬＡ1（ＬＡ2）において、複数のレンズＬＳ1（ＬＳ2）が長手方向ＬＧＤに互いに異なる位置に配設される。
【００４４】
また、このレンズアレイＬＡ1（ＬＡ2）は図６に示すように、ガラス基板ＳＢ1（ＳＢ2）と樹脂層ＰＬ1（ＰＬ2）とで構成されている。ここで、図６は、レンズアレイの構成を模式的に示すＡ−Ａ線断面図であり、該断面を長手方向ＬＧＤ（主走査方向ＭＤ）から見た場合に相当する。レンズアレイＬＡ1（ＬＡ2）は、長手方向ＬＧＤの端部が斜めに（方向Ｄlscと平行に）カットされた平行四辺形形状を有するガラス基板ＳＢ1（ＳＢ2）と（図７、図８）、このガラス基板ＳＢ1（ＳＢ2）の他方面ＳＢ−tに積層して形成された樹脂層ＰＬ1（ＰＬ2）とを有している。そして、この樹脂層ＰＬ1（ＰＬ2）に樹脂製のレンズＬＳ1（ＬＳ2）が形成されている。より具体的には、樹脂層ＰＬ1（ＰＬ2）には、長手方向ＬＧＤに３行千鳥で並ぶ複数の樹脂レンズＬＳ1（ＬＳ2）が、該樹脂層ＰＬ1（ＰＬ2）と一体的に形成されている。こうして、複数の発光素子グループＥＧと複数のレンズＬＳ1（ＬＳ2）とが一対一の対応関係で、厚さ方向ＴＫＤに互いに対向する。なお、この樹脂層ＰＬ1（ＰＬ2）は、例えば光硬化性樹脂で構成することができる。
【００４５】
そして、このように構成されたレンズアレイＬＡ1、ＬＡ2がスペーサーＳＰ1、ＳＰ2により支持されている。以下に、これらレンズアレイＬＡ1、ＬＡ2の支持構造の詳細について、図７、図８を用いて説明する。ここで、図７は、レンズアレイＬＡ1の支持態様を示す部分平面図であり、厚さ方向ＴＫＤから平面視した場合に相当する。また、図８は、レンズアレイＬＡ2の支持態様を示す部分平面図であり、厚さ方向ＴＫＤから平面視した場合に相当する。
【００４６】
ヘッド基板２９３の表面では、互いに同一の形状・大きさを有する複数のスペーサーＳＰ1が長手方向ＬＧＤに間隔ＣＬ1（図３）を空けて一列に並んでいる。また、このスペーサーＳＰ1の列は、幅方向ＬＴＤの両側に設けられている（図３、図５、図７）。こうして、厚さ方向ＴＫＤからの平面視において、スペーサーＳＰ1の列が、ヘッド基板裏面２９３−tの発光素子Ｅが形成された領域を幅方向ＬＴＤから挟んで２列配置されることとなる（換言すれば、遮光部材２９７を幅方向ＬＴＤから挟んで２列配置されることとなる）。なお、これらのスペーサーＳＰ1は、ヘッド基板２９３の表面２９３−hに接着剤等により固定されている。
【００４７】
このようにして、２列に配置されたスペーサーＳＰ1に対して、レンズアレイＬＡ1が幅方向ＬＴＤに架設されており、これにより、レンズアレイＬＡ1がヘッド基板２９３の厚さ方向ＴＫＤの一方側で位置決めされる。このとき、各スペーサーＳＰ1は樹脂層ＰＬ1の幅方向ＬＴＤの外側に位置しており、レンズアレイＬＡ1のレンズＬＳ1が形成された領域は幅方向ＬＴＤに並ぶ２列のスペーサーＳＰ1の列の間に位置する。
【００４８】
そして、図３、図７に示すように、複数のレンズアレイＬＡ1が長手方向ＬＧＤに並んで配設されている。つまり、この実施形態では、長手方向ＬＧＤに並ぶ複数のレンズアレイＬＡ1をスペーサーＳＰ1が支持して、１つの長尺レンズアレイＬ−ＬＡ1が構成されている。こうして、この長尺レンズアレイＬ−ＬＡ1では、複数のレンズＬＳ1が長手方向ＬＧＤにレンズピッチＰls（＝Ｄg（図４））で３行千鳥で並ぶ。ちなみに、直方形状を有するスペーサーＳＰ1の長さＬsp1は、レンズアレイＬＡ1の幅方向ＬＴＤの端辺の長手方向ＬＧＤの長さＬla1より短く、１枚のレンズアレイＬＡ1は、長手方向ＬＧＤに並ぶ複数のスペーサーＳＰ1で支持される。なお、この実施形態では、各レンズアレイＬＡ1にそれぞれ４個のスペーサーＳＰ1が専用に設けられており、１個のスペーサーＳＰ1が２個以上のレンズアレイＬＡ1を支持することは無い。
【００４９】
また、この実施形態では、互いに異なるレンズアレイＬＡ1、ＬＡ1を支持するとともに、長手方向ＬＧＤに間隔ＣＬ1（図３）を空けて隣り合うスペーサーＳＰ1、ＳＰ1とが、所定の配置関係を満たしてスペーサー対ＰＲsp1を構成している。そこで、この配置関係について以下に具体的に説明する。また、この説明をするにあたって、図７の中央部に位置する２枚のレンズアレイＬＡ1、ＬＡ1のうち、長手方向ＬＧＤの一方側のレンズアレイＬＡ1をレンズアレイＬＡ1βとし、長手方向ＬＧＤの他方側のレンズアレイＬＡ1をレンズアレイＬＡ1αとする。
【００５０】
つまり、同図に示すように、レンズアレイＬＡ1αの長手方向ＬＧＤ一方側の端辺ＥＳ1αとレンズアレイＬＡ1βの長手方向ＬＧＤの他方側の端辺ＥＳ1βとは、いずれもレンズ列方向Ｄlscに平行であるとともに、境界ＢＤ1を挟んで長手方向ＬＧＤに隣接している。そして、互いにスペーサー対ＰＲsp1を構成するスペーサーＳＰ1、ＳＰ1のうち、レンズアレイＬＡ1αを支持するスペーサーＳＰ1からレンズアレイＬＡ1αの一方端辺ＥＳ1αまでの距離と、レンズアレイＬＡ1βを支持するスペーサーＳＰ1からレンズアレイＬＡ1βの他方端辺ＥＳ1βまでの距離とは、いずれも距離Ｌsp1で等しい。ここで、レンズアレイＬＡ1α（ＬＡ1β）の端辺ＥＳ1α（ＥＳ1β）からスペーサーＳＰ1（ＳＰ1）までの距離は、レンズアレイＬＡ1α（ＬＡ1β）の端辺ＥＳ1α（ＥＳ1β）あるいは当該端辺ＥＳ1α（ＥＳ1β）に重なる仮想直線ＶＬ1α（ＶＬ1β）からスペーサーＳＰ1（ＳＰ1）までの当該端辺ＥＳ1α（ＥＳ1β）に直交する方向（すなわち、方向Ｄlscに直交する方向）への距離で与えられる。以上が、スペーサー対ＰＲsp1を構成するスペーサーＳＰ1、ＳＰ1が満たす配置関係である。
【００５１】
上述の長尺レンズアレイＬ−ＬＡ1の厚さ方向ＴＫＤの一方面には、互いに同一の形状・大きさを有する複数のスペーサーＳＰ2が長手方向ＬＧＤに間隔ＣＬ2（図３）を空けて一列に並んでいる。また、このスペーサーＳＰ2の列は、幅方向ＬＴＤの両側に樹脂層ＰＬ1から外れて設けられている（図３、図５、図８）。こうして、厚さ方向ＴＫＤからの平面視において、スペーサーＳＰ2の列が、レンズアレイＬＡ1のレンズＬＳ1が形成された領域を幅方向ＬＴＤから挟んで２列配置されることとなる。なお、これらのスペーサーＳＰ2は、レンズアレイＬＡ1のガラス基板ＳＢの表面に接着剤等により固定されている。
【００５２】
このようにして、２列に配置されたスペーサーＳＰ2に対して、レンズアレイＬＡ2が幅方向ＬＴＤに架設されており、これにより、レンズアレイＬＡ2がレンズアレイＬＡ1の厚さ方向ＴＫＤの一方側で位置決めされる。このとき、各スペーサーＳＰ2は樹脂層ＰＬ2の幅方向ＬＴＤの外側に位置しており、レンズアレイＬＡ2のレンズＬＳ2が形成された領域が幅方向ＬＴＤに並ぶ２列のスペーサーＳＰ2の列の間に位置する。
【００５３】
そして、図３、図８に示すように、複数のレンズアレイＬＡ2が長手方向ＬＧＤに並んで配設されている。つまり、この実施形態では、長手方向ＬＧＤに並ぶ複数のレンズアレイＬＡ2をスペーサーＳＰ2が支持して、１つの長尺レンズアレイＬ−ＬＡ2が構成されている。こうして、この長尺レンズアレイＬ−ＬＡ2では、複数のレンズＬＳ2が長手方向ＬＧＤにレンズピッチＰls（＝Ｄg（図４））で３行千鳥で並ぶ。ちなみに、直方形状を有するスペーサーＳＰ2の長さＬsp2は、レンズアレイＬＡ2の幅方向ＬＴＤの端辺の長手方向ＬＧＤの長さＬla2より短く、１枚のレンズアレイＬＡ2は、長手方向ＬＧＤに並ぶ複数のスペーサーＳＰ2で支持される。なお、この実施形態では、各レンズアレイＬＡ2にそれぞれ４個のスペーサーＳＰ2が専用に設けられており、１個のスペーサーＳＰ2が２個以上のレンズアレイＬＡ2を支持することは無い。
【００５４】
また、この実施形態では、互いに異なるレンズアレイＬＡ2、ＬＡ2を支持するとともに、長手方向ＬＧＤに間隔ＣＬ2（図３）を空けて隣り合うスペーサーＳＰ2、ＳＰ2とが、所定の配置関係を満たしてスペーサー対ＰＲsp2を構成している。そこで、この配置関係について以下に具体的に説明する。また、この説明をするにあたって、図８の中央部に位置する２枚のレンズアレイＬＡ2、ＬＡ2のうち、長手方向ＬＧＤの一方側のレンズアレイＬＡ2をレンズアレイＬＡ2βとし、長手方向ＬＧＤの他方側のレンズアレイＬＡ2をレンズアレイＬＡ2αとする。
【００５５】
つまり、同図に示すように、レンズアレイＬＡ2αの長手方向ＬＧＤ一方側の端辺ＥＳ2αとレンズアレイＬＡ2βの長手方向ＬＧＤの他方側の端辺ＥＳ2βとは、いずれもレンズ列方向Ｄlscに平行であるとともに、境界ＢＤ2を挟んで長手方向ＬＧＤに隣接している。そして、互いにスペーサー対ＰＲsp2を構成するスペーサーＳＰ2、ＳＰ2のうち、レンズアレイＬＡ2αを支持するスペーサーＳＰ2からレンズアレイＬＡ2αの一方端辺ＥＳ2αまでの距離と、レンズアレイＬＡ2βを支持するスペーサーＳＰ2からレンズアレイＬＡ2βの他方端辺ＥＳ2βまでの距離とは、いずれも距離Ｌsp2で等しい。ここで、レンズアレイＬＡ2α（ＬＡ2β）の端辺ＥＳ2α（ＥＳ2β）からスペーサーＳＰ2（ＳＰ2）までの距離は、レンズアレイＬＡ2α（ＬＡ2β）の端辺ＥＳ2α（ＥＳ2β）あるいは当該端辺ＥＳ2α（ＥＳ2β）に重なる仮想直線ＶＬ2α（ＶＬ2β）からスペーサーＳＰ2（ＳＰ2）までの当該端辺ＥＳ2α（ＥＳ2β）に直交する方向（すなわち、方向Ｄlscに直交する方向）への距離で与えられる。以上が、スペーサー対ＰＲsp2を構成するスペーサーＳＰ2、ＳＰ2が満たす配置関係である。
【００５６】
以上のようにして、２枚のレンズアレイＬＡ1およびレンズアレイＬＡ2は厚さ方向ＴＫＤに対向して配置されている。その結果、レンズアレイＬＡ1の複数のレンズＬＳ1とレンズアレイＬＡ2の複数のレンズＬＳ2とは一対一の対応関係で対向しており、互いに対向するレンズＬＳ1とレンズＬＳ2とは厚さ方向ＴＫＤからの平面視において重なり合うように、レンズアレイＬＡ1、ＬＡ2は位置調整がされている。
【００５７】
さらに、この実施形態では、長手方向ＬＧＤに長尺な平板形状を有する支持ガラスＳＳが設けられている。詳述すると、長手方向ＬＧＤにおいて、この支持ガラスＳＳはレンズアレイＬＡ2よりも長く形成されて、長尺レンズアレイＬ−ＬＡ2と略同じ長さを備えている。そして、この支持ガラスＳＳが長尺レンズアレイＬ−ＬＡ2の一方面に取り付けられており、言わば、支持ガラスＳＳが複数のレンズアレイＬＡ2をスペーサーＳＰ2の逆側から支持している。そして、この支持ガラスＳＳの表面（一方平面）が、感光体ドラム２１の表面にクリアランスを空けて対向する。
【００５８】
そして、この実施形態では、厚さ方向ＴＫＤ（光軸方向ＯＡ）に互いに対向するレンズＬＳ1とレンズＬＳ2とが１個の結像光学系を構成する。この結像光学系は、反転した縮小像を形成するものであり、その横倍率は負であるとともに１未満の絶対値を有している。したがって、発光素子Ｅから射出された光ビームは、レンズＬＳ1、ＬＳ2を透過した後に支持ガラスＳＳの表面ＳＳから射出されてスポットＳＴとして感光体ドラム２１表面に照射される（図５）。また、上述のとおり、複数のレンズＬＳ1（ＬＳ2）は長手方向ＬＧＤに互いに異なる位置に配設されている。したがって、各レンズＬＳ1（ＬＳ2）は長手方向ＬＧＤ（主走査方向ＭＤ）に異なる領域にスポットＳＴを形成できる。このとき、長手方向ＬＧＤにおける位置が隣接するレンズＬＳ1（ＬＳ2）は、主走査方向ＭＤに隣接してスポットＳＴを形成することができる。この点について具体例を示すために、レンズＬＳ1aおよびレンズＬＳ2aからなる結像光学系（図７、図８）、レンズＬＳ1bおよびレンズＬＳ2bからなる結像光学系、…およびレンズＬＳ1eおよびレンズＬＳ2eからなる結像光学系が形成するスポットを図９に示した。
【００５９】
図９は、感光体ドラム表面に形成されるスポットを模式的に示す平面図であり、上で例示した各結像光学系に対応する発光素子グループＥＧの各発光素子Ｅが同時点灯した場合に相当する。同図において、領域Ｒaは結像光学系ＬＳ1a、ＬＳ2aが形成するスポットにより露光される領域であり、同様に、領域Ｒb〜Ｒｆは結像光学系ＬＳ1b、ＬＳ2b〜ＬＳ1f、ＬＳ2fが形成されるスポットにより露光される領域である。このように、長手方向ＬＧＤにおける位置が互いに隣接するレンズ（例えば、レンズＬＳ1a（ＬＳ2a）とレンズＬＳ1b（ＬＳ2b））は、互いに隣接する領域（例えば、領域Ｒaと領域Ｒb）にスポットＳＴを形成する。
【００６０】
なお、各発光素子Ｅを同時点灯した場合は、図９のように１５個のスポットＳＴから成るスポットグループが離散的に形成される。そこで、例えば、主走査方向ＭＤに伸びるライン潜像を形成したいような場合は、特開２００８−０３６９３７号公報の図１１等に記載のように、感光体ドラム２１表面の副走査方向ＳＤへの移動に応じて各発光素子Ｅの発光を制御すれば良い。
【００６１】
上述の図７、図８、図９を用いた説明から判るように、この実施形態の長尺レンズアレイＬ−ＬＡ1（Ｌ−ＬＡ2）では、長手方向ＬＧＤに並ぶ２枚のレンズアレイＬＡ1α、ＬＡ1β（ＬＡ2α、ＬＡ2β）の境界ＢＤ1（ＢＤ2）を挟んで、互いに異なるレンズアレイＬＡ1α、ＬＡ1β（ＬＡ2α、ＬＡ2β）に配設された２個のレンズＬＳ1c、ＬＳ1d（ＬＳ2c、ＬＳ2d）が、それぞれの長手方向ＬＧＤへの位置を隣り合わせてレンズピッチＰlsで配置される。そして、長手方向ＬＧＤへの位置が隣り合うこれらのレンズＬＳ1c、ＬＳ1d（ＬＳ2c、ＬＳ2d）が、主走査方向ＭＤに隣接する領域Ｒc、ＲdにスポットＳＴを形成する。つまり、上記長尺レンズアレイＬ−ＬＡ1（Ｌ−ＬＡ2）を用いた構成では、異なるレンズアレイＬＡ1α、ＬＡ1β（ＬＡ2α、ＬＡ2β）に配設された２枚のレンズＬＳ1c、ＬＳ1d（ＬＳ2c、ＬＳ2d）が、主走査方向ＭＤに隣接する領域Ｒc、ＲdにスポットＳＴを形成する。そのため、周囲温度の変動に伴なってレンズアレイＬＡ1α、ＬＡ1β（ＬＡ2α、ＬＡ2β）の樹脂層ＰＬ1（ＰＬ2）とガラス基板ＳＢ1（ＳＢ2）との間に応力が発生し、レンズアレイＬＡ1α、ＬＡ1β（ＬＡ2α、ＬＡ2β）が反ってしまうと、これら２枚のレンズＬＳ1c、ＬＳ1d（ＬＳ2c、ＬＳ2d）の位置が光軸方向ＯＡにずれてしまい、その結果、これら２枚のレンズＬＳ1c、ＬＳ1d（ＬＳ2c、ＬＳ2d）が隣接して形成するスポットＳＴの間で、大きさあるいは光量等に大きな差が生じてしまう場合があった。
【００６２】
そこで、本実施形態は、互いにスペーサー対ＰＲsp1（ＰＲsp2）を構成するスペーサーＳＰ1、ＳＰ1（ＳＰ2、ＳＰ2）のうち、レンズアレイＬＡ1α（ＬＡ2α）を支持するスペーサーＳＰ1（ＳＰ2）からレンズアレイＬＡ1α（ＬＡ2α）の一方端辺ＥＳ1α（ＥＳ2α）までの距離と、レンズアレイＬＡ1β（ＬＡ2β）を支持するスペーサーＳＰ1（ＳＰ2）からレンズアレイＬＡ1β（ＬＡ2β）の他方端辺ＥＳ1β（ＥＳ2β）までの距離とを、等しくしている。この理由は次のとおりである。つまり、本実施形態のように、スペーサーＳＰ1（ＳＰ2）でレンズアレイＬＡ1（ＬＡ2）を支持する構成では、レンズアレイＬＡ1（ＬＡ2）の端のレンズＬＳ1c、ＬＳ1d（ＬＳ2c、ＬＳ2d）がレンズアレイＬＡ1（ＬＡ2）の反りに伴なって変位する量は、レンズアレイＬＡ1（ＬＡ2）の端辺ＥＳ1α、ＥＳ1β（ＥＳ2α、ＥＳ2β）からスペーサーＳＰ1（ＳＰ2）までの距離に依存すると考えられる。そこで、本実施形態では、上述のように、レンズアレイＬＡ1α（ＬＡ2α）の端辺ＥＳ1α（ＥＳ2α）からスペーサーＳＰ1（ＳＰ2）までの距離と、レンズアレイＬＡ1β（ＬＡ2β）の端辺ＥＳ1β（ＥＳ2β）からスペーサーＳＰ1（ＳＰ2）までの距離とを等しくしている。したがって、図１０に示すような作用を奏することができる。
【００６３】
ここで、図１０は、本実施形態で奏される作用を模式的に示した側面図であり、レンズアレイＬＡ1α、ＬＡ1β（ＬＡ2α、ＬＡ2β）の境界ＢＤ1（ＢＤ2）の近傍をレンズ列方向Ｄlscから見た場合に相当する。また、同図では、最端レンズＬＳ1c、ＬＳ1d（ＬＳ2c、ＬＳ2d）を図示する代わりに、最端レンズＬＳ1c、ＬＳ1d（ＬＳ2c、ＬＳ2d）を含むレンズ列ＬＳＣ1α、ＬＳＣ1β（ＬＳＣ2α、ＬＳＣ2β）が図示されている。さらに、同図では、実線がレンズアレイＬＡ1α、ＬＡ1β（ＬＡ2α、ＬＡ2β）に反りの無い状態に対応し、破線がレンズアレイＬＡ1α、ＬＡ1β（ＬＡ2α、ＬＡ2β）に反りのある状態に対応している。同図に示すように、レンズアレイ端辺ＥＳ1α、ＥＳ1β（ＥＳ2α、ＥＳ2β）それぞれからスペーサーＳＰ1（ＳＰ2）までの各距離Ｌsp1（Ｌsp2）を等しくしているため、周囲温度の変動によってレンズアレイＬＡ1α、ＬＡ1β（ＬＡ2α、ＬＡ2β）が反ったとしても、各レンズアレイＬＡ1α、ＬＡ1β（ＬＡ2α、ＬＡ2β）の端にあるレンズＬＳ1c、ＬＳ1d（ＬＳ2c、ＬＳ2d）の変位量Δα、Δβは概ね等しくなる。その結果、最端レンズＬＳ1c、ＬＳ1d（ＬＳ2c、ＬＳ2d）の間での相対位置のずれは小さく抑えられて、最端レンズＬＳ1c、ＬＳ1d（ＬＳ2c、ＬＳ2d）により形成されるスポットＳＴのばらつきが抑制され、良好な露光の実現が図られている。
【００６４】
また、上記実施形態では、長手方向ＬＧＤに隣接するレンズアレイＬＡ1α、ＬＡ1β（ＬＡ2α、ＬＡ2β）の端辺ＥＳ1α、ＥＳ1β（ＥＳ2α、ＥＳ2β）からの距離が互いに等しいスペーサーＳＰ1、ＳＰ1（ＳＰ2、ＳＰ2）が長手方向ＬＧＤに並んでいる。このような構成は、各レンズアレイＬＡ1α、ＬＡ1β（ＬＡ2α、ＬＡ2β）の端辺ＥＳ1α、ＥＳ1β（ＥＳ2α、ＥＳ2β）にあるレンズＬＳ1c、ＬＳ1d（ＬＳ2c、ＬＳ2d）の変位量Δα、Δβを概ね等しくするのに有利である。
【００６５】
また、上記実施形態のように、レンズＬＳ1に入射する光を発光する発光素子Ｅが配設されたヘッド基板２９３を備え、スペーサーＳＰ1はヘッド基板２９３に配設される構成に対しては、本発明を適用することが好適となる。つまり、発光素子Ｅは発光に伴なって発熱する性質を有するため、この発光素子Ｅが配設されたヘッド基板２９３にスペーサーＳＰ1を配設すると、ヘッド基板２９３からスペーサーＳＰ1を介してレンズアレイＬＡ1に熱が伝導してしまうおそれがある。その結果、レンズアレイＬＡ1の反りに起因した露光不良が発生する場合が考えられる。そこで、本発明を適用することにより、レンズアレイＬＡ1の反りに起因した露光不良の発生を抑え、良好な露光を実現可能とすることが好適となる。
【００６６】
また、上記実施形態では、樹脂層ＰＬ1（ＰＬ2）を光硬化性樹脂で形成している。このような光硬化性樹脂は、光を照射することで速やかに硬化するため、レンズＬＳ1（ＬＳ2）を有する樹脂層ＰＬ1（ＰＬ2）を簡便に作製することを可能とし、ラインヘッド２９を簡便に生産するのに有利となる。
【００６７】
その他
以上のように、上記実施形態では、ラインヘッド２９が本発明の「露光ヘッド」に相当し、感光体ドラム２１が本発明の「像担持体」に相当する。また、長手方向ＬＧＤが本発明の「第１の方向」に相当し、レンズ列方向Ｄlscが本発明の「第２の方向」に相当する。また、レンズアレイＬＡ1αとレンズアレイＬＡ1β（あるいは、レンズアレイＬＡ２αとレンズアレイＬＡ２β）が本発明の「第１のレンズアレイ」と「第２のレンズアレイ」に相当し、レンズＬＳ1cとレンズＬＳ1d（あるいは、レンズＬＳ2cとレンズＬＳ2d）が本発明の「第１のレンズ」と「第２のレンズ」に相当し、スペーサー対ＰＲsp1を構成するスペーサーＳＰ1、ＳＰ1（あるいは、スペーサー対ＰＲsp2を構成するスペーサーＳＰ2、ＳＰ2）が本発明の「第１の支持部材」、「第２の支持部材」に相当している。また、端辺ＥＳ1αと端辺ＥＳ1β（あるいは、端辺ＥＳ2αと端辺ＥＳ2β）が本発明の「第１の端辺」と「第２の端辺」に相当する。また、ヘッド基板２９３が本発明の「発光素子基板」に相当する。
【００６８】
なお、本発明は上記実施形態に限定されるものではなく、その趣旨を逸脱しない限りにおいて上述したものに対して種々の変更を加えることが可能である。例えば、上記実施形態では、レンズアレイＬＡ1の支持機構およびレンズアレイＬＡ2の支持機構のいずれにも本発明を適用していたが、いずれか一方の支持機構にのみ本発明を適用しても良い。つまり、例えば、レンズアレイＬＡ1およびレンズアレイＬＡ2のうち、反ることによる露光への影響が特に顕著なレンズアレイにのみ本発明を適用しても良い。
【００６９】
また、上記実施形態では、レンズアレイＬＡ2を支持するためにガラス製の平板（支持ガラスＳＳ）を用いたが、レンズアレイＬＡ2を支持する部材をガラス以外の材料で構成することもできる。
【００７０】
また、支持ガラスＳＳを排して、ラインヘッド２９を構成することもできる。
【００７１】
また、スペーサーＳＰ1、ＳＰ2の材料としては、種々の材料を採用することが可能であり、ガラス等の透明な部材をスペーサーＳＰ1、ＳＰ2として用いても良い。
【００７２】
もちろん、ガラス以外のもので構成しても良く、例えば、スペーサーＳＰ1、ＳＰ2を鉄等の金属により構成しても良い。
【００７３】
また、上記実施形態では、スペーサーＳＰ1（ＳＰ2）を樹脂層ＰＬ1（ＰＬ2）から外れた位置に配設していたが、スペーサーＳＰ1（ＳＰ2）を樹脂層ＰＬ1（ＰＬ2）に当接させて配設しても良い。
【００７４】
また、レンズアレイＬＡ1、ＬＡ2等の各部材の寸法関係についても、種々の変更が可能である。
【００７５】
また、上記実施形態では、複数のレンズアレイＬＡ1は、同一の形状および大きさを備えていたが、これらについても種々の変更が可能である。さらに、複数のレンズアレイＬＡ2についても同様の変更が可能である。
【００７６】
また、上記実施形態の結像光学系は、反転像を形成するものであったが、正転像（つまり、反転していない像）を形成するものであっても良い。
【００７７】
また、上記実施形態の結像光学系は、縮小像を形成するものであったが、等倍像あるいは拡大像を形成するものであっても良い。
【００７８】
また、上記実施形態では、レンズアレイＬＡ1の裏面（厚さ方向ＴＫＤの他方面）にレンズＬＳ1が形成されていたが、レンズＬＳ1の形成位置はこれに限られない。
【００７９】
また、上記実施形態では、レンズアレイＬＡ2の裏面（厚さ方向ＴＫＤの他方面）にレンズＬＳ2が形成されていたが、レンズＬＳ2の形成位置はこれに限られない。
【００８０】
また、上記実施形態では、各レンズアレイＬＡ1、ＬＡ2において３行千鳥でレンズが並んでいたが、レンズの配置態様はこれに限られない。
【００８１】
また、上記実施形態では、複数の発光素子グループＥＧは３行千鳥で配置されていたが、複数の発光素子グループＥＧの配置態様はこれに限られない。
【００８２】
また、上記実施形態では、１５個の発光素子Ｅから発光素子グループＥＧが構成されている。しかしながら、発光素子グループＥＧを構成する発光素子Ｅの個数はこれに限られない。
【００８３】
また、上記実施形態では、発光素子グループＥＧ内において、複数の発光素子Ｅが２行千鳥で配置されていたが、発光素子グループＥＧ内での複数の発光素子Ｅの配置態様はこれに限られない。
【００８４】
また、上記実施形態では、発光素子Ｅとしてボトムエミッション型の有機ＥＬ素子が用いられている。しかしながら、トップエミッション型の有機ＥＬ素子を発光素子Ｅとして用いても良く、あるいは有機ＥＬ素子以外のＬＥＤ（Light Emitting Diode）等を発光素子Ｅとして用いても良い。
【符号の説明】
【００８５】
ＬＡ1、ＬＡ2…レンズアレイ、  ＬＳ1、ＬＳ2…レンズ、  ＬＳＣ…レンズ列、  ＳＰ1、ＳＰ2…スペーサー、  ＳＢ1、ＳＢ2…ガラス基板、  ＰＬ1、ＰＬ2…樹脂層、  ＳＳ…支持ガラス、  ＬＧＤ…長手方向、  ＬＴＤ…幅方向、  Ｄlsc…レンズ列方向、  ２９３…ヘッド基板、  ２１…感光体ドラム
【図１】
2011068090.tif 000003
【図２】
2011068090.tif 000004
【図３】
2011068090.tif 000005
【図４】
2011068090.tif 000006
【図５】
2011068090.tif 000007
【図６】
2011068090.tif 000008
【図７】
2011068090.tif 000009
【図８】
2011068090.tif 000010
【図９】
2011068090.tif 000011
【図１０】
2011068090.tif 000012